(57)【要約】【課題】大きな光量を吸引ノズルの先端部から患者の口腔内の患部へ照射する。【解決手段】口腔内吸引装置１は、吸引装置側へ接続自在の接続部３を備え、口腔内の吸引を行う吸引ノズル９を着脱可能に備える。さらに、ノズル接続部５を備える。ノズル接続部５は吸引ノズル９の突出した突出部１３を嵌合自在の接続孔１５と、吸引ノズル９の大径部１７を嵌合自在の大径嵌合孔１９を備え、吸引ノズル９の突出部１３を挿入した状態の前記突出部１３の外周面と前記大径嵌合孔１９の内周面との間に、複数の光源２１を円周方向に配置して備える。吸引ノズル９は、透明部材よりなり、前記接続孔１５へ嵌合自在の突出部１３と大径部の外周面との間に、前記光源２１からの光を受光する受光面９３を備える。複数の光源２１からの大きな光量は吸引ノズル９の受光面９３から導光され先端部から照射される。【選択図】図１
2005177143.tif 000002
【特許請求の範囲】
【請求項１】
吸引装置側へ接続自在の接続部を備えると共に、口腔内の吸引を行う吸引ノズルを接続自在にするためのノズル接続部を備えてなる接続具装置であって、
前記ノズル接続部は、前記吸引ノズルの接続部側に突出して備えた突出部を嵌合自在の小径の接続孔を備えると共に、前記吸引ノズルの大径部を嵌合自在の大径嵌合孔を備え、前記吸引ノズルの突出部を挿入した状態の前記突出部の外周と前記大径嵌合孔の内周との間に、複数の光源を円周方向に配置してなることを特徴とする接続具装置。
【請求項２】
前記大径嵌合孔内に、前記光源を汚れから保護するために、前記小径の接続孔と連通可能にするための穴を備えた環状の透明部材を備えたことを特徴とする請求項１記載の接続具装置。
【請求項３】
吸引装置側へ接続自在の接続部を備えると共に、口腔内の吸引を行う吸引ノズルを着脱可能に備えてなる口腔内吸引装置であって、
前記吸引ノズルの突出した突出部を嵌合自在の接続孔を備えると共に、前記吸引ノズルの大径部を嵌合自在の大径嵌合孔を備え、前記吸引ノズルの突出部を挿入した状態の前記突出部の外周面と前記大径嵌合孔の内周面との間に、複数の光源を円周方向に配置して備えたノズル接続部と、前記吸引ノズルと、を備えてなり、
前記吸引ノズルは、透明部材よりなり、前記接続孔へ嵌合自在の前記突出部と大径部の外周面との間に、前記光源からの光を受光する受光面を備えていることを特徴とする口腔内吸引装置。
【請求項４】
前記吸引ノズルは、先端部における照射部の切込断面積が後端部における入射部の切込断面積より小さく形成していることを特徴とする請求項３記載の口腔内吸引装置。
【発明の詳細な説明】
【技術分野】
【０００１】
この発明は、接続具装置及びこの接続具装置を備えた口腔内吸引装置に関し、特に歯科の患者口腔内治療において使用される口腔内吸引装置において光量が不足しがちな治療部位を明るく照らして術者の視認性を高め、安全且つ作業効率を高めるための接続具装置及びこの接続具装置を備えた口腔内吸引装置に関する。
【背景技術】
【０００２】
従来、口腔内吸引装置には照明機構が具備されていないために、治療中に、歯科用治療装置に設置された無影灯や、併用して使用される歯科用ハンドピースのライトなどにより患者口腔内を照明しながら、歯科用ハンドピースによって切削される切削粉、歯科用ハンドピースにより注水される水、患者の血液や唾液等の患者口腔内の余剰物質を口腔内吸引装置により吸引して外部に排除していた。
【０００３】
しかし、上記の無影灯や歯科用ハンドピースのライトでは光量が不足しており、患者口腔内の余剰物質を的確に処理することは難しく、患者に不快感を与えるものであった。そこで、口腔内吸引装置の吸引具本体の先端部には短尺パイプ状の吸引部が着脱可能に装着されており、前記吸引部の先端部には取付凹部が設けられ、この取付凹部に患者口腔内を照明するための豆電球が接着剤等の固定手段により固定されている（例えば、特許文献１参照）。
【０００４】
これにより、前述した無影灯では充分に照明できない奥歯の患部などの治療でも、患者口腔内の患部を充分に照明することができるが、豆電球が吸引部の先端に位置しているために汚れやすく充分な明るさを保つことができないことや、吸引部の着脱が困難で、且つ吸引部は滅菌器による滅菌を行うことができないことや、豆電球に接続している電線と吸引部との隙間にゴミが付着しやすい形状であることや、患者口腔内全体の照明ができないことや、吸引部の外側に豆電球を固定しているために吸引部の形状が太くなること、などの問題がある。
【０００５】
従来では、上記の問題を解消した口腔内吸引装置が開発されている。例えば、患者口腔内に挿入される吸引用のノズルが導光部材で形成され、このノズルの基端部が口腔内吸引装置の術者手元部に着脱可能に接続されている。術者手元部（グリップ部）には光源を内蔵したライトボックスが設けられている。このライトボックスと前記ノズルの基端部がファイバで接続されて前記ライトボックスからの光がファイバを経てノズルを透過して患者口腔内を照明できるように構成されている。これにより、ライトボックスからの光がノズルを透過することによりノズル全体が発光し、患者口腔内を明るく照明する。
【０００６】
他の従来例としては、上述した従来例と同様の術者手元部（グリップ部）に光源が内接されており、この光源からの光がノズルの基端部外周から照射されるように、術者手元部の先端外周近傍の全面に導光部材が設けられている。
【特許文献１】実開昭５５−２７５２４号公報
【発明の開示】
【発明が解決しようとする課題】
【０００７】
ところで、従来の２番目の口腔内吸引装置においては、特許文献１の口腔内吸引装置の問題点を解決して効果的なものであるが、術者手元部（グリップ部）に光源が設置され、この光源の光が導光部材で形成されたノズルの基端部へ一束の導光部材によって局所的に入射されているために、前記ノズルの先端部から照射される光量は少なく、しかも光班が発生する場合があるので、術者の視認を充分に得られにくいという問題点があった。
【０００８】
また、従来の３番目の口腔内吸引装置においては、やはり特許文献１の腔内吸引装置の問題点を解決して効果的なものであるが、術者手元部（グリップ部）の光源からの光が導光部材を介してノズルの基端部外周で、且つ術者手元部の先端外周近傍の全面から照射される構造であるので、光が拡散したり距離減衰を起こすためにノズルの先端部で充分な光量が得られ難くなることや、光と治療部位の間に治療器具等が介在している場合に前記治療器具等の影が生じて視認効果が充分に得られ難いことが生じるという問題点があった。
【０００９】
この発明は上述の課題を解決するためになされたものである。
【課題を解決するための手段】
【００１０】
この発明の接続具装置は、吸引装置側へ接続自在の接続部を備えると共に、口腔内の吸引を行う吸引ノズルを接続自在にするためのノズル接続部を備えてなる接続具装置であって、
前記ノズル接続部は、前記吸引ノズルの接続部側に突出して備えた突出部を嵌合自在の小径の接続孔を備えると共に、前記吸引ノズルの大径部を嵌合自在の大径嵌合孔を備え、前記吸引ノズルの突出部を挿入した状態の前記突出部の外周と前記大径嵌合孔の内周との間に、複数の光源を円周方向に配置してなることを特徴とするものである。
【００１１】
この発明の接続具装置は、前記接続具装置において、前記大径嵌合孔内に、前記光源を汚れから保護するために、前記小径の接続孔と連通可能にするための穴を備えた環状の透明部材を備えていることが好ましい。
【００１２】
この発明の口腔内吸引装置は、吸引装置側へ接続自在の接続部を備えると共に、口腔内の吸引を行う吸引ノズルを着脱可能に備えてなる口腔内吸引装置であって、
前記吸引ノズルの突出した突出部を嵌合自在の接続孔を備えると共に、前記吸引ノズルの大径部を嵌合自在の大径嵌合孔を備え、前記吸引ノズルの突出部を挿入した状態の前記突出部の外周面と前記大径嵌合孔の内周面との間に、複数の光源を円周方向に配置して備えたノズル接続部と、前記吸引ノズルと、を備えてなり、
前記吸引ノズルは、透明部材よりなり、前記接続孔へ嵌合自在の前記突出部と大径部の外周面との間に、前記光源からの光を受光する受光面を備えていることを特徴とするものである。
【００１３】
この発明の口腔内吸引装置は、前記口腔内吸引装置において、前記吸引ノズルは、先端部における照射部の切込断面積が後端部における入射部の切込断面積より小さく形成していることが好ましい。
【発明の効果】
【００１４】
以上のごとき課題を解決するための手段から理解されるように、この発明によれば、接続具装置は、複数の光源がノズル接続部の内部に円周方向に配置されているので、複数の光源から大きな光量を得ることができ、この大きな光量を吸引ノズルに供給できる。また、ノズル接続部の肉厚部の空間を有効利用して複数の光源を設けたのでノズル接続部の握り径を適当な大きさに収めることができる。
【００１５】
さらに、複数の光源は、吸引ノズルの突出部を挿入した状態の前記突出部の外周面と大径嵌合孔の内周面との間に配置されているので、複数の光源から発生した熱は吸引ノズルの突出部の吸引路を通過する廃液や空気によって吸収されるので適度の冷却効果となる。
【００１６】
また、吸引ノズルが接続孔に頻繁に脱着されても、光源汚れを防止する環状の透明部材が大径嵌合孔内に設けられているので、脱着されるときに光源の先端部が唾液等の余剰物質で汚されることを防止できるため、光路障害を確実に防止できる。
【００１７】
また、口腔内吸引装置は、複数の光源がノズル接続部の内部に円周方向に配置されているので、複数の光源から大きな光量を得ることができる。この大きな光量は吸引ノズルの大径部の受光面に効率よく受光される。この光は細くされた吸引ノズルの先端部で凝縮されて明るく、しかも治療部に直接的に照射できる。光の距離減衰を最小限に抑えて治療部位を明るく照らすことができ、安全で効率的な作業環境を得ることができる。
【発明を実施するための最良の形態】
【００１８】
以下、この発明の実施の形態について図面を参照して説明する。
【００１９】
図１〜図３を参照するに、この実施の形態に係る口腔内吸引装置１は、吸引装置側へ接続自在の接続部としての例えばホルダカバー３と、このホルダカバー３を接続するノズル接続部としてのホルダ５（「グリップ部」ともいう）と、から構成される接続具装置７が備えられている。また、歯科治療時に患者の口腔内に溜まる治療時の注水や唾液等の余剰物質を吸引するための吸引ノズル９が、上記の接続具装置７のホルダ５に着脱可能に備えられている。なお、上記の余剰物質とは、歯科用ハンドピースによって切削される切削粉、歯科用ハンドピースにより注水される水、患者の血液や唾液等である。
【００２０】
上記の吸引ノズル９は中心部に貫通する吸引路１１を有しており、吸引ノズル９の基端部にはホルダ５に差し込んで接続するための突出部１３が突設されている。また、上記のホルダ５の内部には、前記吸引ノズル９の突出部１３を嵌合自在の小径の接続孔１５が備えられており、吸引ノズル９の基端部の大径部１７を嵌合自在の大径嵌合孔１９が備えられている。
【００２１】
さらに、上記の吸引ノズル９の突出部１３を接続孔１５に挿入した状態の前記突出部１３の外周と、大径嵌合孔１９の内周との間には、光源としての例えば複数のＬＥＤ２１が円周方向に配置されている。この実施の形態では図２に示されているようにリング形状をなすＬＥＤ用基材２３に前記複数のＬＥＤ２１が隣接するようにほぼ環状に配置されている。すなわち、多くのＬＥＤ２１が円筒状に並列に配置されて十分な光量を発生させる構成である。また、多数の各ＬＥＤ２１に導通したＬＥＤ接点ピン２５がＬＥＤ用基材２３から後方に向けて突出している。なお、この実施の形態では上記のように複数のＬＥＤ２１が互いに隣接しているが、ある程度の間隔を介して円周方向に配置されても構わない。
【００２２】
なお、上記の光源としてのＬＥＤ２１の他の実施の形態としては、図４（Ａ），（Ｂ）に示されているように、ＬＥＤ用基材２７がＬＥＤ取付面２９を前後に二重に備えた二重構造であり、前後のＬＥＤ取付面２９にそれぞれ複数のＬＥＤ２１が適宜間隔を介して円周方向に並列に配置されている。つまり、円周方向に配列された複数のＬＥＤ２１が前後の２列に配置されており、後方の複数のＬＥＤ２１は当該各ＬＥＤ２１の光が前方の吸引ノズル９へ入射されるために、前方の複数のＬＥＤ２１の間隔に位置して配置されている。
【００２３】
再び図１〜図３を参照するに、ホルダカバー３には、この実施の形態の歯科用吸引ホースとしての例えばサクションホース３１の先端部が接続され、このサクションホース３１の後端部はユニットコネクタ３３を介して吸引装置としての例えばバキューム用モータを備えたユニット部（図示省略）に接続されている。また、上記の複数のＬＥＤ２１を発光させるための電源は、上記のユニット部の電源コネクタに接続されたＡＣアダプタ３５を介してＬＥＤドライブ３７を経てサクションホース３１の外周面に沿って螺旋状に巻き付けられている電線３９によりホルダ５へ導かれてＬＥＤ２１に結線されることにより、上記の複数のＬＥＤ２１が発光する構成である。なお、ＬＥＤドライブ３７には主電源スイッチ４１が設けられている。
【００２４】
上記の腔内吸引装置１の各構成部材についてより詳しく説明する。
【００２５】
ホルダカバー３は円筒形状をなし、この円筒内部にはサクションホース３１の先端部に嵌着したホースコネクタ４３と、このホースコネクタ４３の先端部を嵌入するホルダコネクタ４５と、サクションホース３１の先端部とが連結した状態で挿入して装着されるものである。
【００２６】
なお、前記ホルダコネクタ４５は中心部に吸引路１１を有する円筒形状をなし、その後端側にホースコネクタ４３の先端部を嵌入する穴部４７が設けられ、ホルダコネクタ４５の先端部はホルダ５に接続するための小径部４９と中径部５１の２段の段付形状に形成されている。さらに、ホルダコネクタ４５には第１接点ピン５３を挿通するための第１接点ピン用孔５５がホルダコネクタ４５の後端面と前記中径部５１の前端面に貫通して設けられている。また、前記小径部４９には、ホルダコネクタ４５をホルダ５に位置決めするための位置決め用ピン５７を挿入するための位置決め用ピン孔５９が前記吸引路１１に直交する方向に貫通して設けられている。
【００２７】
また、上記のサクションホース３１は、図５に示されているように２本又は３本の樹脂被覆された電線３９が平行して蛇腹形状のホース基材６１の外周に螺旋状に巻かれてフレキシブルなホースを構成しており、このホースの外周（電線３９の外側）は樹脂材からなるホースカバー６３で被覆されている。なお、サクションホース３１の他の例としては２本又は３本の電線３９が蛇腹状のホース基材６１の内部に一体的に螺旋状に巻き付けられたものであっても構わない。
【００２８】
また、上記の２本又は３本の電線３９は、図２に示されているようにサクションホース３１の先端部から前方へ突出した接続用導体６５に接続されている。したがって、サクションホース３１は柔軟性を保持して電線を先端側へ導くことができるので、フレキシブルで使い易いものである。
【００２９】
上記構成により、ホースコネクタ４３とホルダコネクタ４５が連結されるときは、サクションホース３１の先端部の接続用導体６５がホルダコネクタ４５の第１接点ピン用孔５５の後方から挿入されると共に、第１接点ピン用孔５５の前方から第１接点ピン５３が挿通されることにより、第１接点ピン５３と接続用導体６５が接続される。詳しくは図３に示されている通りである。
【００３０】
ホルダ５の後端側には、ホルダコネクタ４５の小径部４９と中径部５１とを挿入可能な小径穴部６７と中径穴部６９が設けられている。また、ホルダ５の先端側には、吸引ノズル９の突出部１３を嵌合自在の小径の接続孔１５が前記小径穴部６７に連通するように設けられており、環状の複数のＬＥＤ２１を装着可能なＬＥＤ用穴部７１と、吸引ノズル９の基端部の大径部１７を嵌合自在の大径嵌合孔１９を備えたノズルホルダ７３を嵌入可能なノズルホルダ用穴部７５が設けられている。
【００３１】
また、ノズルホルダ７３の後端部には、吸引路１１に流れる廃液等の余剰物質がホルダ５の内部へ入り込まないようにするための透明部材（シール部材）７７が着脱可能に装着されている。この透明部材７７は、複数のＬＥＤ２１の先端部を保護するために環状のＬＥＤ２１の内周側に挿入可能で且つホルダ５の接続孔１５と連通可能な穴部７７Ａを備えた穴明きサークルコイン状の透明の導光部材から構成されている。なお、上記のノズルホルダ７３と透明部材７７は、この実施の形態では分離されているが、一体的に構成されても構わない。
【００３２】
また、ホルダ５の図１、図２及び図３において上部には、スイッチ７９及びスイッチカバー８１を装着するためのスイッチ用穴部８３が設けられており、第２接点ピン８５を挿通するための第２接点ピン用孔８７が前記スイッチ用穴部８３と中径穴部６９に貫通して設けられている。詳しくは図３に示されているように、スイッチ７９は、第２接点ピン用孔８７に挿入された第２接点ピン８５の前端部と、前述したＬＥＤ接点ピン２５とが導通してＯＮ又はＯＦＦとなるように、術者により押圧、離反されて上下動可能に常時は第２接点ピン８５及びＬＥＤ接点ピン２５から離反するように付勢されてスイッチ用穴部８３内に装着される。
【００３３】
上記のホルダ５とホルダカバー３を接続するときは、ホルダ５の後端面とホルダコネクタ４５の大径部の前端面との間にコネクタ部パッキン８９を介設すると共に、ホルダ５の後部段付面とホルダカバー３の前端面との間にホルダ部パッキン９１を介設する。また、ホルダコネクタ４５の第１接点ピン５３の先端とホルダ５の第２接点ピン８５の後端が接続される。
【００３４】
吸引ノズル９は、透明部材から構成され、基端部の直径および肉厚が前端部より大きくなっており、肉厚部の断面積比は後端部が大きいもので、先端部に近づくにつれて前記断面積比が小さくなる構造になっている。吸引ノズル９の基端部の後端面は、上記の透明部材７７に接近する位置まで差し込まれて複数のＬＥＤ２１の光を受ける受光面９３であり、この実施の形態では、この受光面９３が基端部の軸線方向に対してほぼ直角であるが、前記軸線方向に対して前方向又は後方向に傾斜する傾斜面であっても構わない。すなわち、吸引ノズル９は、複数のＬＥＤ２１が発光すると、その光が導光部材からなる透明部材７７を介して吸引ノズル９の受光面９３から入射して基端部よりも狭い先端部から治療患部を照射する構造である。
【００３５】
図６（Ａ）〜（Ｃ）を併せて参照するに、吸引ノズル９の先端部は吸引ノズル９の長手軸方向に対して料めにカットされて使い易く構成されている。前記斜めのカット面９５の長手軸方向に対する傾斜角度θは４０°以上であることが望ましい。その理由は、前記傾斜角度θが４５°未満であると、光がカット面９５で全反射してしまうからである。更に、前記カット面９５の先鋭な部分は長手軸方向とほぼ直角になるようにカットされたカット面９７が形成されている。このほぼ直角のカット面９７から照射される光は安定することになる。
【００３６】
また、吸引ノズル９の先端部には、切断面１０１を軸心に対して傾斜した柔軟チップ９９が被覆するように取り付けられている。柔軟チップ９９は、例えばゴムなどの柔軟性のある軟質の樹脂製で成り、吸引ノズル９の先端部が患者の口腔内に入れられる際にぶつかるときの衝撃を和らげて痛みを防ぐことができる。また、柔軟チップ９９が取り付けられることにより、他の治療器具、例えば治療用研削機器の刃が吸引ノズル９の先端部に直接接触しないように傷付き防止となる。
【００３７】
上記構成により、円筒状のホルダ５の肉厚部の内部に多数のＬＥＤ２１を円周方向に環状に埋設した形態であるので、多数のＬＥＤ２１による多くの光量を確保することが可能となり、ホルダ５の肉厚部の空間を有効利用してホルダ５の握り径を適当な大きさに収めることができるという設計上の利点がある。
【００３８】
また、多数のＬＥＤ２１から発する熱は、環状のＬＥＤ２１の内周に隣接した吸引ノズル９の突出部１３の吸引路１１を通過する廃液や空気によって吸収されるので適度の冷却効果がもたらされ、多数のＬＥＤ２１からの光がシール部材７７を透過して前方の吸引ノズル９の受光面９３へ向けられる。
【００３９】
なお、吸引ノズル９はホルダ５に常時差し込まれた状態ではなく、頻繁に脱着する必要性が生じてくるので、多数のＬＥＤ２１の発光先端部が吸引ノズル９の吸引路１１に直接接して唾液等の余剰物質で汚されてしまい、そのために光の屈折による光路障害を起こす可能性がある。しかし、この実施の形態では、環状のＬＥＤ２１の発光先端部が透明部材７７により吸引路１１から隔絶するよう保護されているので、上記の光路障害が確実に防止される。
【００４０】
したがって、多数のＬＥＤ２１からの一様の光量は、透明部材７７を透過して吸引ノズル９の基端部の受光面９３の全周面一杯に入射し、その光は透明部材からなる吸引ノズル９の先端部へ向かって吸引ノズル９内に導光される。
【００４１】
吸引ノズル９は、基端部と先端部における直径と肉厚部の断面積比では基端部の方が大きくなっており、先端部に近づくにつれて前記断面積比が小さくなる構造になっているので、吸引ノズル９の基端部（入射部）切込面積をＳ１とし、先端部（照射部）面積をＳ２とし、入射密度をρ0とし、光の透過ロスをゼロとした場合、吸引ノズル９の先端部からの照射密度ρは、ρ＝ρ0（Ｓ１／Ｓ２）となる。したがって、光の密度は凝縮された状態になって高い密度が得られることになる。
【００４２】
また、吸引ノズル９の先端部が注射針状に斜めにカットされたカット面９５と、その先鋭な先端部分が吸引ノズル９の長手軸方向に対してほぼ直角にカットされたカット面９７が形成されているので、カット面９５、９７の幅が全周囲でほぼ同一となり、吸引ノズル９の先端部の周囲はほぼ均一な明るさで照明できる。
【図面の簡単な説明】
【００４３】
【図１】この発明の実施の形態の口腔内吸引装置の要部部断面を示す概略的な組立状態図である。
【図２】図１の口腔内吸引装置を構成する各部材の分解図である。
【図３】図１の接続具装置の部分の拡大断面図である。
【図４】（Ａ）は他の実施の形態のＬＥＤの配置状態を示す正面図で、（Ｂ）は（Ａ）の側面図である。
【図５】この発明の実施の形態の歯科用吸引ホースの部分的な断面図である。
【図６】（Ａ）は吸引ノズルの先端部分の平面図で、（Ｂ）は（Ａ）の側面図で、（Ｃ）は（Ｂ）の左側面図である。
【符号の説明】
【００４４】
１  口腔内吸引装置
３  ホルダカバー（接続部）
５  ホルダ（ノズル接続部）
７  接続具装置
９  吸引ノズル
１１  吸引路
１３  突出部
１５  接続孔
１７  大径部
１９  大径嵌合孔
２１  ＬＥＤ（光源）
２５  ＬＥＤ接点ピン
３１  サクションホース（歯科用吸引ホース）
３９  電線
４３  ホースコネクタ
４５  ホルダコネクタ
４９  小径部
５１  中径部
５３  第１接点ピン
６１  ホース基材
６３  ホースカバー
７３  ノズルホルダ
７５  ノズルホルダ用穴部
７７  透明部材
７７Ａ  穴部
７９  スイッチ
８５  第２接点ピン
９３  受光面
９５，９７  カット面
９９  柔軟チップ
【図１】
2005177143.tif 000003
【図２】
2005177143.tif 000004
【図３】
2005177143.tif 000005
【図４】
2005177143.tif 000006
【図５】
2005177143.tif 000007
【図６】
2005177143.tif 000008